(57)【要約】【課題】コンロの天板と壁面との間隔が比較的狭い場合に好適であって、且つコンロのメンテナンス等のためにコンロの天板の取外しの邪魔にならない構成とし、そのうえで、コンロの形状や調理容器の形状に左右されることなく防熱効果を向上させることができる防熱板を提供する。【解決手段】コンロに隣接する壁面に取り付けられる防熱板１であって、壁面を空隙を存して覆う主防熱部３８と、主防熱部３８の下縁に連設された副防熱部３９とを備える。主防熱部３８は、コンロの天板の取外し時の天板の昇降動を可能とする距離を存した位置から上方の壁面を覆う。副防熱部３９は、コンロの天板と壁面との間に位置される。主防熱部３８のコンロ上に載置された調理容器に対向する範囲の所定位置に、覆板９を設け、覆板９に突起３１，３２，３３，３４，３５を設ける。【選択図】図２
2005098564.tif 000002
【特許請求の範囲】
【請求項１】
コンロに隣接して起立する壁面に取り付けられ、前記壁面を所定の空隙を存して覆う主防熱部と、該主防熱部の下縁に連設されて前記主防熱部より壁面に接近して下方に延びる副防熱部とを備え、前記主防熱部は、コンロの天板の取外し時の該天板の昇降動を可能とする距離を存した位置から上方の前記壁面を覆い、前記副防熱部は、コンロの天板と壁面との間に位置された防熱板において、
前記主防熱部におけるコンロ上に載置された調理容器に対向する範囲の所定位置に突起を設けたことを特徴とする防熱板。
【請求項２】
コンロに隣接して起立する壁面に取り付けられ、前記壁面を所定の空隙を存して覆う主防熱部と、該主防熱部の下縁に連設されて前記主防熱部より壁面に接近して下方に延びる副防熱部とを備え、前記主防熱部は、コンロの天板の取外し時の該天板の昇降動を可能とする距離を存した位置から上方の前記壁面を覆い、前記副防熱部は、コンロの天板と壁面との間に位置された防熱板において、
少なくとも前記主防熱部におけるコンロ上に載置された調理容器に対向する範囲に、所定の空隙を存して該主防熱部の表面を覆う覆板を設けたことを特徴とする防熱板。
【請求項３】
前記覆板は、前記主防熱部に取外し自在に保持されていることを特徴とする請求項３記載の防熱板。
【請求項４】
前記覆板におけるコンロ上に載置された調理容器に対向する範囲の所定位置に突起を設けたことを特徴とする請求項２又は３記載の防熱板。
【請求項５】
前記突起は、鉛直方向に所定の長さを有し且つ互いに間隔を存して延びる一対のリブ状突起と、両リブ状突起間に配設されて該リブ状突起より小さな形状に形成されたボス状突起とにより構成されていることを特徴とする請求項１又は４記載の防熱板。
【発明の詳細な説明】
【技術分野】
【０００１】
本発明は、コンロに隣接する壁面に取り付けられる防熱板に関する。
【背景技術】
【０００２】
従来、コンロに隣接する壁面へのコンロからの熱を遮断するために、該壁面に取り付けられる防熱板が知られている（例えば、特許文献１参照）。この種の防熱板は、コンロと壁面との距離が消防法に定める所定の距離（１５cm）に満たない場合に設けられる。そして、防熱板を設けた場合には、室温が３５℃のとき、コンロに隣接する壁面の温度が１００℃を超えないようにすることが求められている。
【０００３】
ところで、ビルトイン式コンロをコンロ用キャビネット等に収容して厨房に設置したとき、コンロ用キャビネットが小型である場合には、コンロ用キャビネットのワークトップ上に露出するコンロの天板と壁面との間隔が防熱板の厚みより狭く、防熱板がコンロの天板の上部に張り出すことがある。そしてこの場合に、コンロの排熱が防熱板の下端から防熱板と壁面との間に入り込む等の事態を回避するために、防熱板の下端をコンロの天板に密着させると、天板をワークトップから取り外す際に防熱板が邪魔になり、天板の取り外しが困難となる。このため、コンロのメンテナンス等において天板を取り外す際には、それに先立って防熱板を壁面から取り外さなければならず、コンロのメンテナンス等の作業が極めて煩わしい不都合がある。
【０００４】
そこで、防熱板を、壁面を所定の空隙を存して覆う主防熱部と、該主防熱部の下縁に連設されて前記主防熱部より壁面に接近して下方に延びる副防熱部とによって構成することが考えられる。そして、主防熱部を、コンロの天板から、該天板の取外し時の昇降を可能とする所定距離を存した上方に位置するように設け、副防熱部を、コンロの天板と壁面との間に下端が位置するように設ける。こうすることで、主防熱部が壁面からコンロ側に張り出していても、主防熱部に干渉させることなくコンロの天板を持ち上げて天板の取外しを行なうことができ、防熱板を取り外すことなくコンロのメンテナンス等を容易に行なうことができる。
【０００５】
しかし、防熱板に前記副防熱部を設けることによって主防熱部の下方に空間（天板の取外しを可能とする空間）が形成され、この空間にコンロからの高温の排気（以下、排熱という）が溜るおそれがある。この空間は、コンロの天板が比較的薄手に形成されていてバーナの位置が低くしかも五徳の高さが低い所謂フラットタイプコンロが設置されている場合に大きく形成される。そして、特に、蒸し器等の平面視方形状の調理容器を五徳に載置し、調理容器の上縁のフランジ等が防熱板に当接した状態で調理を行なったときに、この空間に入り込んだコンロの排熱が調理容器と防熱板との間を抜けることができず、副防熱部の温度が上昇して防熱板の防熱効果が低下するおそれがある。
【０００６】
また、コンロの天板の上部に張り出した防熱板の前記主防熱部がコンロの五徳に接近している場合には、五徳の外側にはみだした炎により主防熱部（特に主防熱部と副防熱部との境界位置からその上方にかけて）が炙られるおそれがある。この状況は、コンロの天板が通常の高さを有し五徳の高さもフラットタイプコンロより高いコンロのときに生じ易い。即ち、五徳に載置された鍋やフライパン等の調理容器の底を伝って炎が立ち上がり、この炎により主防熱部が炙られる。これによって、主防熱部の温度が上昇して防熱板の防熱効果が低下するおそれがある。
【特許文献１】特許第３３４２１２０号公報
【発明の開示】
【発明が解決しようとする課題】
【０００７】
かかる不都合を解消して、本発明は、コンロの天板と壁面との間隔が比較的狭い場合に好適であって、且つコンロのメンテナンス等のためにコンロの天板の取外しの邪魔にならない構成とし、そのうえで、コンロの形状や調理容器の形状に左右されることなく防熱効果を向上させることができる防熱板を提供することを目的とする。
【課題を解決するための手段】
【０００８】
本発明における防熱板は、コンロに隣接して起立する壁面に取り付けられるものであり、前記壁面を所定の空隙を存して覆う主防熱部と、該主防熱部の下縁に連設されて前記主防熱部より壁面に接近して下方に延びる副防熱部とを備えている。更に、前記主防熱部は、コンロの天板の取外し時の該天板の昇降動を可能とする距離を存した位置から上方の前記壁面を覆い、前記副防熱部は、コンロの天板と壁面との間に位置される。
【０００９】
前記主防熱部は、壁面との間に空隙を形成するので防熱作用が得られる。また、前記副防熱部により、主防熱部の下方においても防熱作用を得ることができ、しかも、コンロからの排熱が壁面に直接当ることを防止することができる。また、前記主防熱部の下方には、天板の取外し時の昇降を可能とするだけの空間が形成されるので、主防熱部が壁面からコンロ側に張り出していても、主防熱部に干渉させることなくコンロの天板を持ち上げて天板の取外しを行なうことができ、防熱板を取り外すことなくメンテナンス等を容易に行なうことができる。
【００１０】
このように構成された防熱板において、前記の目的を達成するための本発明の第１の態様は、前記主防熱部におけるコンロ上に載置された調理容器に対向する範囲の所定位置に突起を設けたことを特徴とする。
【００１１】
調理容器をコンロ上に載置して加熱調理を行なったときには、コンロからの排熱が調理容器の底を伝って調理容器の周囲に排出され、その一部が、副防熱部を設けたために主防熱部の下方に形成された前記空間に入り込む。このとき、調理容器が、主防熱部から十分な間隔を存してコンロ上に載置されていれば、排熱は調理容器と主防熱部との間を抜けて上昇し放出される。一方、調理容器は、調理の際に主防熱部に近接してコンロ上に載置されることがある。このときには、主防熱部に設けられた突起に調理容器の一部（側壁や上縁のフランジ）が当接するので、調理容器と主防熱部の平坦な面との当接が防止され、調理容器と主防熱部との間に空隙を確保することができる。そして、主防熱部の下方の前記空間に入り込んだ排熱は、前記突起により調理容器と主防熱部との間に形成された空隙を抜けて円滑に放出される。これによって、前記空間に排熱が溜まることが防止されるので、排熱の影響による防熱板の過加熱が防止され、防熱板の防熱作用を向上させることができる。
【００１２】
また、前記の目的を達成するための本発明の第２の態様は、少なくとも前記主防熱部におけるコンロ上に載置された調理容器に対向する範囲に、所定の空隙を存して該主防熱部の表面を覆う覆板を設けたことを特徴とする。
【００１３】
調理容器をコンロ上に載置して加熱調理を行なったときには、コンロのバーナの炎が調理容器の底を伝って調理容器の周囲に立ち上がる場合がある。このときには、防熱板の調理容器に対向する側がこの炎に炙られる。本発明の防熱板によれば、前記主防熱部に前記覆板を備えることにより、該覆板が調理容器の周囲から立ち上がる炎を遮って主防熱部に当ることが防止される。また、該覆板は、主防熱部に所定の空隙を存して設けられているので、該覆板が炎に炙られて高温となっても、主防熱部への熱の伝達が抑えられる。これによって、バーナの炎の影響による防熱板の過加熱が防止され、防熱板の防熱作用を向上させることができる。なお、前記覆板は、前述したような炎に炙られることが予測される範囲に設けることが好ましいが、それ以外には、前記主防熱部全体を覆うようにしてもよく、また、コンロの天板の取外しに邪魔にならない範囲で前記主防熱部から前記副防熱部にわたって覆うように設けてもよい。
【００１４】
また、前記覆板は、前記主防熱部に取外し自在に保持されていることが好ましい。覆板は、調理時の汁跳ねや油跳ねにより汚れが付着する場合がある。この場合には、該覆板を取り外して容易に掃除することができる。また、覆板は、炎に炙られた部分が変色する場合がある。この場合には変色した覆板を取り外して新しい覆板に交換することができる。
【００１５】
更に、前記覆板におけるコンロ上に載置された調理容器に対向する範囲の所定位置に突起を設けることが好ましい。これによれば、覆板に設けられた突起によって調理容器と覆板の平坦な面との当接が防止され、調理容器と覆板との間に空隙を確保することができる。この空隙により、主防熱部の下方のコンロの天板と副防熱部との間に形成された空間にコンロの排熱が入り込んだときに、前述した本発明の第１の態様と同様に、この排熱を円滑に放出させることができる。これによって、覆板が炎による防熱板の過加熱を防止するだけでなく、突起が排熱による防熱板の過加熱をも防止するので、防熱板の防熱作用を一層向上させることができる。
【００１６】
また、本発明の各態様における前記突起は、鉛直方向に所定の長さを有し且つ互いに間隔を存して延びる一対のリブ状突起と、両リブ状突起間に配設されて該リブ状突起より小さな形状に形成されたボス状突起とにより構成されていることが好ましい。
【００１７】
一般に加熱調理に使用される調理容器としては、通常の円形の鍋、角型の鍋（例えば蒸し器）、鉄板、フライパン、底付き焼き網等が挙げられる。
【００１８】
これらの調理容器のなかで平面視方形状に形成されたものが使用された場合には、前記突起として一対のリブ状突起を設けておくことによって、コンロ上に載置された調理容器の方形状の一辺側（直線状とされている）が一対のリブ状突起に当接して確実に空隙を形成することができる。また、各リブ状突起は鉛直方向に所定の長さを有しているので、調理容器の高さ（容器の深さ）が異なるものであっても、各リブ状突起の何れかの位置に調理容器の縁を確実に当接させることができる。
【００１９】
更に、前記の調理容器のなかで平面視円形状に形成されたものが使用された場合には、一対のリブ状突起の間に前記ボス状突起を設けておくことによって、コンロ上に載置された調理容器の周壁の一部が各リブ状突起又はボス状突起に当接して確実に空隙を形成することができる。更に、ボス状突起はリブ状突起より小さな形状とすることにより、平面視方形状の調理容器とリブ状突起と当接したときには、排熱が通過するための空隙を広くして排熱を円滑に通過させることができると共に、ボス状突起が排熱から受ける加熱を小として防熱板の過加熱を防止することができる。
【００２０】
このように、前記突起を一対のリブ状突起と両リブ状突起間のボス状突起とにより構成することによって、調理容器の形状に左右されることなく排熱による防熱板の過加熱を確実に防止することができる。
【発明を実施するための最良の形態】
【００２１】
本発明の一実施形態を図面に基づいて説明する。図１は本実施形態の防熱板の設置状態を示す説明図、図２は防熱板の表板側を示す説明図、図３は防熱板の裏板側を示す説明図、図４は図２におけるIV−IV線断面説明図、図５は覆板の取り付け状態を示す説明的断面図、図６は図１の要部を拡大して示す説明図、図７（ａ）及び（ｂ）は角鍋における突起の作用を示す説明図、図８は丸鍋における突起の作用を示す説明図、図９は他のコンロの側方に取り付けた防熱板の要部を示す説明図である。
【００２２】
本実施形態の防熱板１は、図１に示すように、コンロ２に隣接する壁面３に設けられるものである。コンロ２は所謂ビルトイン式コンロであって、コンロ本体２ａがコンロ用キャビネット４のワークトップ５の開口に吊持されている。コンロ２の天板６は、コンロ本体２ａの上面開口を覆うもので、ワークトップ５上に設置されている。該コンロ２は、手入れやメンテナンスを行なう際にワークトップ５から上方に天板６を持ち上げることで該天板６を取り外すことができるようになっている。
【００２３】
防熱板１は、図１に示すように、金属製板材（ステンレス板等）により形成された表板７と、金属製板材（ステンレス板等）により形成された裏板８と、表板７の一部を覆う金属製板材（ステンレス板等）により形成された覆板９とによって構成されている。
【００２４】
防熱板１の表板７は、図２に示すように、略矩形状の広面部１０と、該広面部１０の上縁部に連設されてコンロ２の上方に傾斜して張り出すフード部１１とを備えている。図１及び図２に示すように、広面部１０の下縁には、壁面３に近接する方向に折り曲げられて傾斜する表板傾斜部１２を介して下方に延びる表板延出部１３が連設されている。
【００２５】
防熱板１の裏板８は、図３に示すように、略矩形状の広面部１４と、該広面部１４に設けられて壁面３に連結する第１連結部材１５とを備えている。広面部１４の下縁には、壁面３に近接する方向に折り曲げられて傾斜する裏板傾斜部１６を介して下方に延びる裏板延出部１７が連設されている。裏板８の広面部１４は、表板７の広面部１０に対応する位置に設けられており、裏板傾斜部１６及び裏板延出部１７は、前記表板傾斜部１２及び表板延出部１３に対応する位置に設けられている。
【００２６】
第１連結部材１５は、図３及び図４に示すように、略コ字形に形成された突出部１８に複数の掛止穴１９（図３参照）を備え、該突出部１８の両側に形成された張出部２０を介して広面部１４にネジ２６により連結されている。第１連結部材１５の掛止穴１９は壁面３にねじ込まれた木ネジ２１（図４参照）の頭部を掛止して壁面３に連結される。
【００２７】
表板７と裏板８とは、図４に示すように、第２連結部材２２を介して互いに連結されている。即ち、第２連結部材２２は、略コ字形に形成された突出部２３に複数の第１ネジ穴２４が形成され、該突出部２３の両側に形成された張出部２３ａに複数の第２ネジ穴２５が形成されている。第２連結部材２２は、第２ネジ穴２５に螺着されたネジ２６により裏板８に連結され、第１ネジ穴２４に螺着されたネジ２７により表板７に連結される。これにより、第２連結部材２２は、表板７と裏板８との間に突出部２３による空隙を形成し、且つ、表板７と裏板８とを連結している。
【００２８】
覆板９は、図２に示すように、表板７の広面部１０の下部から表板傾斜部１２にわたる範囲を覆うようにして、表板７に取り付けられている。即ち、図２及び図５に示すように、覆板９は、表板７の広面部１０の一部を膨出させて形成されたボス部２８の第３ネジ穴２９にネジ３０を螺着することにより取外し自在に取り付けられている。表板７と覆板９との間は、ボス部２８によって空隙が形成される。更に、覆板９の下部は、表板傾斜部１２に沿って傾斜する覆板傾斜部９１となっており、覆板傾斜部９１の下端は、表板傾斜部１２との間に間隙を存して開口されている。
【００２９】
また、覆板９は、図２に示すように、一対のリブ状突起３１，３２と両リブ状突起３１，３２間に形成された複数の（本実施形態では３つの）ボス状突起３３，３４，３５とを備えている。一対のリブ状突起３１，３２と両リブ状突起３１，３２間のボス状突起３３，３４，３５とは、図６に示すように、コンロ２の五徳３６上に載置された鍋３７に当接可能な位置に形成されている。なお、覆板９はコンロ２に対して左側の壁に取り付ける場合（本実施形態の場合）と、コンロ２に対して右側の壁に取り付ける場合（図示せず）とを考慮して、一対のリブ状突起３１，３２と両リブ状突起３１，３２間のボス状突起３３，３４，３５とを組み合わせたものが、図２において左右対称となるように形成されている。
【００３０】
リブ状突起３１，３２は、鉛直方向に所定の長さを有して覆板９から膨出するように形成されている。ボス状突起３３，３４，３５は、リブ状突起３１，３２より長さが小さく、覆板９から円形状にリブ状突起３１，３２と同じ高さで膨出するように形成されている。
【００３１】
以上のように構成された本実施形態の防熱板１は、図１に示すように、表板７の広面部１０及び表板傾斜部１２と、裏板８の広面部１４及び裏板傾斜部１６とによって本発明の主防熱部３８が形成され、表板延出部１３と裏板延出部１７とによって本発明の副防熱部３９が形成される。防熱板１は、前記主防熱部３８において前記第２連結部材２２により表板７と裏板８とが十分な空隙を存して対向するので、高い防熱効果を得ることができる。また、図６に示すように、前記副防熱部３９を天板６と壁面３との間に収納させることができ、しかも、副防熱部３９によって天板６の上方に形成された空間により図６中仮想線に示すように、防熱板１に干渉させることなく天板６を上方に取除くことができる。なお、図５に示すように、副防熱部３９においても、裏板延出部１７に突出形成された凸部１７ａにより、表板延出部１３と裏板延出部１７との間、及び、裏板延出部１７と壁面３との間に空隙が形成されているので、十分な防熱効果を得ることができる。
【００３２】
そして更に、主防熱部３８の下部位置には覆板９が設けられていることによって、防熱板１の防熱効果を飛躍的に向上させることができる。ここで、覆板９の作用を詳しく説明する。図６に示すように、鍋３７（調理容器）をコンロ２の五徳３６上に載置して加熱調理を行なったときには、コンロ２のバーナ（図示せず）の炎Ｆが五徳３６の間を抜けて鍋３７の外側に沿って立ち上がることがある。そして、このときの炎Ｆは主防熱部３８の下部位置に向かうが、覆板９によって遮られ、表板７の広面部１０（主防熱部３８）が直接炎に炙られることが防止される。しかも、覆板９は、表板７の広面部１０の一部を膨出させて形成されたボス部２８によって主防熱部３８の表面から所定の空隙を存して設けられているので、該覆板９が炎に炙られて高温となっても、主防熱部３８への熱の伝達を抑えることができる。なお、前記覆板９は、図６に示すように、炎Ｆに炙られることが予測される範囲に設けることが好ましく、少なくとも主防熱部３８におけるコンロ２上に載置された鍋３７に対向する範囲に設けておけばよいが、それ以外には、図示しないが、前記主防熱部３８全体を覆うように形成してもよい。
【００３３】
また、覆板９には、一対のリブ状突起３１，３２と複数のボス状突起３３，３４，３５とが形成されていることによって、図６に示すように、鍋３７がコンロ２の五徳３６上に載置されたときに、鍋３７は一対のリブ状突起３１，３２と複数のボス状突起３３，３４，３５との何れかに当接して覆板９との間に空隙が形成される。そして、主防熱部３８の下方の空間Ｓに排熱が入り込んでも、覆板９と鍋３７との間に形成された空隙を抜けて円滑に放出され、排熱による過熱を防止することができる。このとき、図７（ａ）に示すように、平面視方形状の角鍋４０（例えば蒸し器等）を使用して加熱調理を行う場合には、角鍋４０の上縁のフランジ４１が一対のリブ状突起３１，３２に当接して覆板９と角鍋４０との間に確実に空隙が形成される。しかも、図７（ｂ）に示すように、一対のリブ状突起３１，３２は鉛直方向に長さを有しているので、高さ（鍋深さ）が異なる角鍋４０´の場合であっても角鍋４０´の上縁のフランジ４１´を一対のリブ状突起３１，３２に当接させることができ、覆板９と角鍋４０´との間に確実に空隙を形成することができる。ここで、リブ状突起３１，３２が一対設けられていることによって、両リブ状突起３１，３２が同時に角鍋４０に当接し、これによって、覆板９と角鍋４０との間に確実に空隙が形成される。更に、ボス状突起３３，３４，３５は、リブ状突起３１，３２より長さが小さい円形であることにより、排熱に接触する面積を小として覆板９への熱の伝達を抑えると共に排熱を放出方向に円滑に通過させることができる。
【００３４】
また、図８に示すように、平面視円形状の丸鍋４２を使用して加熱調理を行う場合には、複数のボス状突起３３，３４，３５に当接するので、例えば、一対のリブ状突起３１，３２の間に丸鍋４２の一部が入り込んで両リブ状突起３１，３２の間を狭めるような事態を回避することができ、覆板９と丸鍋４２との間に確実に空隙を確保することができる。しかも、複数のボス状突起３３，３４，３５によって、丸鍋４２が図８中仮想線示するように位置ズレしても覆板９と丸鍋４２との間に空隙が形成された状態を確実に維持することができる。なお、本実施形態においては角鍋４０と丸鍋４２について述べたが、防熱板１は他の調理容器（例えば、図示しないが、鉄板、フライパン、底付き焼き網等）であっても同様の防熱効果を得ることができる。
【００３５】
また、前記覆板９は、鍋３７等の調理容器に近接することにより、汁跳ねや油跳ねによる汚れが付着したり、炎に炙られて変色等が生じることがある。この場合には、図５に示すように、覆板９はネジ３０によって表板７に取り付けられているので、ネジ３０を外して防熱板１から覆板９を分離させることができ、覆板９の掃除や交換を容易に行うことができる。
【００３６】
また、本実施形態の防熱板１は、図６に示すようなコンロ２以外に、図９に示すような五徳４３及び天板４４の高さが低い所謂フラットタイプコンロ４５にも好適に採用することができる。図９に示すように、フラットタイプコンロ４５は五徳４３及び天板４４の高さが低いために、図６に示すようなコンロ２の場合と比較して、主防熱部３８の下方に形成された空間Ｓが広く、この空間Ｓに排熱が溜まりやすい。この場合にも、覆板９に、一対のリブ状突起３１，３２と複数のボス状突起３３，３４，３５とが形成されていることによって、図９に示すように、鍋３７がフラットタイプコンロ４５の五徳４３上に載置されたときに、鍋３７は一対のリブ状突起３１，３２と複数のボス状突起３３，３４，３５との何れかに当接して覆板９との間に空隙が形成される。これによって、主防熱部３８の下方のフラットタイプコンロ４５の天板４４と副防熱部３９との間に形成された空間Ｓの排熱を、覆板９と鍋３７との間に形成された空隙を抜けて円滑に放出させることができる。
【００３７】
また、図示しないが、前記覆板９にリブ状突起３１，３２及びボス状突起３３，３４，３５が設けられていなくても、主防熱部３８の下方の炎の炙りを防止することができるので、防熱板１の防熱作用を十分に向上させることができる。また、図示しないが、火力の比較的小さなコンロ等のように炎の炙りが小さい場合には、前記覆板９を設けずに、表板７の広面部１０の鍋３７に対向する位置に前記リブ状突起３１，３２及びボス状突起３３，３４，３５を設けておくことでも、コンロからの排熱を円滑に外部に放出させることができるので、防熱板１の防熱作用を十分に向上させることができる。
【００３８】
また、本実施形態においてはビルトイン式コンロを採用して説明したが、防熱板１はビルトイン式コンロにおいてのみ適用されるものではなく、例えば卓上式コンロであっても適用できることは言うまでもない。
【図面の簡単な説明】
【００３９】
【図１】本発明の一実施形態の防熱板の設置状態を示す説明図。
【図２】防熱板の表板側を示す説明図。
【図３】防熱板の裏板側を示す説明図。
【図４】図２におけるIV−IV線断面説明図。
【図５】覆板の取り付け状態を示す説明的断面図。
【図６】図１の要部を拡大して示す説明図。
【図７】角鍋における突起の作用を示す説明図。
【図８】丸鍋における突起の作用を示す説明図、
【図９】他のコンロの側方に取り付けた防熱板の要部を示す説明図。
【符号の説明】
【００４０】
１…防熱板、２，４５…コンロ、３…壁面、６，４４…天板、９…覆板、３１，３２…リブ状突起（突起）、３３，３４，３５…ボス状突起（突起）、３７，４０，４２…調理容器、３８…主防熱部、３９…副防熱部。
【図１】
2005098564.tif 000003
【図２】
2005098564.tif 000004
【図３】
2005098564.tif 000005
【図４】
2005098564.tif 000006
【図５】
2005098564.tif 000007
【図６】
2005098564.tif 000008
【図７】
2005098564.tif 000009
【図８】
2005098564.tif 000010
【図９】
2005098564.tif 000011